(57)【要約】      （修正有）【課題】凹凸形態の陽刻部と陰刻部を形成する際、その境界地点をドット模様で突出形成してノン−スティック（NON-STICK）効果を上昇させることができるだけでなく、調理容器の底面に飲食物が焦げ付く現象を防止することができる調理容器及びその製造方法を提供する。【解決手段】調理容器の底面に凹凸形態で複数の陰刻部と陽刻部を形成する際、陰刻部と陽刻部の境界地点を点線（dot：以下、「ドット」という）模様で突出されるように形成しながら凹凸模様を具現するようにすることにより、ノン−スティック（NON-STICK）効果を最大化して飲食物が調理容器に焦げ付く現象を防止するようにする調理容器および調理容器の製造方法。【選択図】図３
2019069213.tif 000002
【特許請求の範囲】
【請求項１】
凹凸形態で複数の陰刻部と陽刻部が形成された通常の調理容器において、前記陰刻部は複数のドット模様が一定の間隔を維持しながら突出形成され、陽刻部の形状を現すことを特徴とする調理容器。
【請求項２】
調理容器の製造方法において、
通常のステンレス板（１０）の表面に感光用塗料を塗布して塗料層（１２）を形成する段階と、
前記塗料層（１２）の表面を、黒色部分（１４ａ）と透明部分（１４ｂ）で模様が形成されたフィルム（１４）で覆う段階と、
前記フィルム（１４）で覆われた状態で紫外線を照光して、前記透明部分（１４ｂ）の下にある塗料層（１２）を硬化させ、前記黒色部分（１４ａ）の下にある塗料層（１２）は硬化させないようにする段階と、
前記硬化過程を行ったステンレス板（１０）を化合物に浸漬させて陰刻部（１０ａ）と陽刻部（１０ｂ）を形成する段階と、
前記ステンレス板（１０）の表面にノン−スティック効果のためのコーティング液を塗布して前記陰刻部（１０ａ）にコーティング層（１６ａ）を形成する段階とを含むことを特徴とする調理容器の製造方法。
【請求項３】
前記透明部分（１４ｂ）は複数のドット模様が一定の間隔を維持しながら突出形成され、透明部分（１４ｂ）の形状を現すことを特徴とする請求項２記載の調理容器の製造方法。
【請求項４】
前記透明部分（１４ｂ）を構成する複数のドット部分は硬化され、前記ドットとドットの間は硬化されないことを特徴とする請求項３記載の調理容器の製造方法。
【請求項５】
前記陽刻部（１０ｂ）の表面には複数のドットが一定の間隔を維持しながら突出形成されることを特徴とする請求項２〜４の何れか１項記載の調理容器の製造方法。
【発明の詳細な説明】
【技術分野】
【０００１】
本発明は、調理容器の底面に凹凸形態で複数の陰刻部と陽刻部を形成し、前記陽刻部にコーティング層を形成した調理容器及びその製造方法に関し、より詳しくは、凹凸形態の陽刻部と陰刻部を形成する際、その境界地点をドット模様で突出形成してノン−スティック（NON-STICK）効果を上昇させることができるだけでなく、調理容器の底面に飲食物が焦げ付く現象を防止することができる調理容器及びその製造方法に関する。
【背景技術】
【０００２】
各家庭において飲食物を調理するために多様な調理容器を用いることが、広く知られている。このような調理容器に該当する鍋やフライパン等は、調理時に飲食物が表面に焦げ付いて、綺麗な調理状態にならなくなったり、調理時に添加される各種の調味料類が有する化学的な特性により、有害な化学反応物の生成や腐食が発生するなどの問題点があった。
【０００３】
このような問題点を解決するために、調理容器の底面にノン−スティック（NON-STICK）効果を具現するように被膜を積層させた製品が広く用いられている。ここで、ノン−スティック効果（機能）とは、調理容器の表面にテフロン（登録商標、以下同じ）やセラミック等のようなコーティングで被膜層を形成し、飲食物が調理容器の表面に焦げ付かないようにする機能を言う。
【０００４】
上記ノン−スティック（NON-STICK）効果の一例としては、下記の特許文献１に開示されているように、調理容器の内部の底面にセラミック層とテフロン層を順次にコーティング処理して飲食物に対する分離性と耐食性を増大させ、テフロン層の良好な接着状態を維持するようにする調理容器を提供している。
【０００５】
このような特許文献１の調理容器は母材の内面に単純にセラミック層やテフロン層を積層させて製造することにより、外部の衝撃、または、調理過程でセラミック層やテフロン層が耐えられない温度に達すると、セラミック層やテフロン層が容易に剥けて毀損される現象が生じる。すなわち、セラミック層やテフロン層からなる被膜層が毀損された部位はノン−スティック効果を失い、かつ、毀損された被膜層が飲食物に混じることになって人体に害を及ぼす問題点を招くようになる。
【０００６】
一方、上記のような特許文献１の問題点を解決するための先行技術としては、登録特許公報第１０−０８０４３８７号（以下、「特許文献２」という）がある。上記特許文献２は調理過程で飲食物が焦げ付かないように調理容器の底面に凹凸形態で多数の陰刻部と陽刻部を形成し、上記陰刻部にコーティング層を形成した調理容器の製造方法が開示されている。
【０００７】
しかし、上記特許文献２は、下記のような多くの問題点を含んでいる。最初に、上記特許文献２は、調理容器の底面に凹凸形態で陽刻部と陰刻部を形成する際、シルク印刷フィルムで印刷するので、濃度や温度によるインキブリード（Ink bleed）が激しくなり、これに応じて均一な高さの凹凸形態を具現することができないという問題点がある。
【０００８】
二番目に、上記特許文献２は、調理容器の底面に凹凸形態で陽刻部と陰刻部を形成する際、ホールが形成されたシルク印刷フィルムの下に一定の空間を維持したまま、ステンレス板を固定させた後、シルク印刷フィルムの上にインクを塗布してゴムブラシ等で押して、インクをシルク印刷フィルムのホールに押し出す方式でステンレス板に印刷作業をすることになるが、これは作業者の印刷技術の練度によってインクが滲んだりするので、全体的な印刷作業が不安定であるだけでなく、広い面積を印刷する時、始める部分と終わる部分が一定な印刷品質を維持することができないという問題点がある。
【０００９】
三番目に、上記特許文献２は作業空間を大いに占めることになり、また、精密作業が困難になり、特に多量の不良製品が発生するという問題点がある。
【００１０】
四番目に、上記特許文献２は調理容器の底面に蜂巣状（六角形の模様）を形成されるようになるが、蜂巣状は実線で形成され、その実線の幅が０．５ｍｍであり、六角形の一面の実線の長さを５ｍｍにすると、ノン−スティック（NON-STICK）具現において実線の幅はノン−スティック効果を得られるが、長さ方向ではノン−スティック効果が劣るようになり、結局、調理容器の底面に飲食物が焦げ付く現像が発生する問題点がある。
【００１１】
五番目に、上記特許文献２は調理容器の底面に油を注いで料理をする時、蜂巣状の六角の中に油が溜められるので、油が滲む現象が斉一にならない問題点が発生し、これによって飲食物が調理容器の底面に焦げ付くので、きちんと調理できないという問題点がある。
【先行技術文献】
【特許文献】
【００１２】
【特許文献１】韓国登録実用新案第２０−１９９４−０００３５６９号公報（名称：調理容器、公開日付：1993.04.23.）
【特許文献２】韓国登録特許第１０−０８０４３８７号公報（発明の名称：調理容器の製造方法、公告日付：2008.02.15.）
【特許文献３】韓国公開特許第１０−２０１０−００３４１３８号公報（発明の名称：調理容器の製造方法、公開日付：2010.04.01.）
【特許文献４】韓国登録特許第１０−０９７５３１５号公報（発明の名称：調理容器およびその製造方法、公告日付：2010.08.12.）
【発明の概要】
【発明が解決しようとする課題】
【００１３】
本発明はこのような従来技術の問題点を解決するためのものであり、調理容器の底面に凹凸形態で陽刻部と陰刻部を形成するとき、前記凹凸形態を実線で形成せず、点線（dot）状で突出されるように形成することにより、ノン−スティック（NON-STICK）効果を上昇させ、飲食物が調理容器の底面に焦げ付く現象を防止することができるようにする調理容器およびその製造方法を提供することにその目的がある。
【課題を解決するための手段】
【００１４】
本発明は、凹凸形態で複数の陰刻部と陽刻部が形成された通常の調理容器において、前記陽刻部は複数のドット模様が一定の間隔を維持しながら突出形成され、陽刻部の形状を現すことを特徴とする。
【００１５】
本発明は、通常のステンレス板の表面に感光用塗料を塗布して塗料層を形成する段階と、前記塗料層の表面に黒色部分と透明部分で模様が形成されたフィルムを覆う段階と、前記フィルムが覆われた状態で紫外線を昭光させ、前記透明部分の下にある塗料層は硬化されるようにし、前記黒色部分の下にある塗料層は硬化現象が起こらないようにする段階と、前記硬化過程を行ったステンレス板を化合物に浸漬させて陰刻部と陽刻部を形成する段階と、前記ステンレス板の表面にノン−スティック効果のためのコーティング液を塗布して前記陰刻部にコーティング層を形成し、前記陽刻部にコーティング層を形成した後、前記陽刻部に形成されたコーティング層を除去する段階からなることを特徴とする。
【図面の簡単な説明】
【００１６】
【図１ａ】本発明の好ましい一実施例による調理容器の底面にノン−スティック（NON-STICK）効果を具現するようにする調理容器の製造方法を順次に示す図。
【図１ｂ】本発明の好ましい一実施例による調理容器の底面にノン−スティック（NON-STICK）効果を具現するようにする調理容器の製造方法を順次に示す図。
【図１ｃ】本発明の好ましい一実施例による調理容器の底面にノン−スティック（NON-STICK）効果を具現するようにする調理容器の製造方法を順次に示す図。
【図１ｄ】本発明の好ましい一実施例による調理容器の底面にノン−スティック（NON-STICK）効果を具現するようにする調理容器の製造方法を順次に示す図。
【図１ｅ】本発明の好ましい一実施例による調理容器の底面にノン−スティック（NON-STICK）効果を具現するようにする調理容器の製造方法を順次に示す図。
【図１ｆ】本発明の好ましい一実施例による調理容器の底面にノン−スティック（NON-STICK）効果を具現するようにする調理容器の製造方法を順次に示す図。
【図１ｇ】本発明の好ましい一実施例による調理容器の底面にノン−スティック（NON-STICK）効果を具現するようにする調理容器の製造方法を順次に示す図。
【図２】図１ｃで示しているフィルム（１４）の構成を示す平面図。
【図３】本発明の製造方法によって作られたノン−スティック（NON-STICK）効果を有する調理容器の内部の底面を示す図。
【発明を実施するための形態】
【００１７】
以下、添付図面を参照して、本発明の実施例を説明すると、次のとおりである。後述される詳細な説明では、詳細な技術的課題を解決するための本発明において代表的な実施例を提示する。さらに、発明で提示される他の実施例は本発明の構成での説明として代替する。
【００１８】
本発明では調理容器の底面に凹凸形態で複数の陰刻部と陽刻部を形成する際、従来のように、凹凸模様を実線で形成せず、好ましくは前記陰刻部と陽刻部の境界地点を点線（dot：以下、「ドット」という）模様に突出されるように形成しながら、凹凸模様を具現するようにすることにより、ノン−スティック（NON-STICK）効果を最大化し、飲食物が調理容器に焦げ付く現象を防止するようにする調理容器およびその製造方法を具現しようとする。
【００１９】
特に、本発明による調理容器は調理容器の底面に凹凸形態の陰刻部と陽刻部を形成する際、蜂巣形態の六角形状に形成し、前記六角形を模様を形成する際、下記の図１に示されるように、実線に形成せず、突出されたドット（dot）模様に蜂巣状を形成することにより、従来の調理容器（例えば、特許文献１）に比べ、ノン−スティック（NON-STICK）効果を高めるようにし、これに応じて、飲食物が調理容器に焦げ付く現象を防止することができる。
【００２０】
つまり、本発明は蜂巣形態の六角状を形成する際、突出されたドット模様に構成することにより、調理容器の底面に油を注ぐと、前記油が落ちるとともに、ドットとドットとの間に流し込み、斉一に滲むようになって調理容器の底面に飲食物が焦げ付く現象が発生しない。
【００２１】
例えば、調理容器の底面に形成されたドット（dot）の直径が０．５ｍｍなら、どの方向にも０．５ｍｍを維持するようになり、連続されたドットが５ｍｍであったら、従来技術の実線と異なってお互い離れているので、ノン−スティック（NON-STICK）効果を上昇させることができる。
【００２２】
以下、本発明の好ましい実施例によって詳細に説明するが、上記本発明が実施例によって限定されることではない。
【実施例１】
【００２３】
図１ａ〜図１ｇ、図２及び図３を参照して、本発明による調理容器の製造方法を具体的に説明する。以下において、前記調理容器の製造方法を順次に説明するために、（１）、（２）、（３）、（４）、（５）、（６）、（７）、（８）という番号を表記する。
【００２４】
（１）図１ａに示すように、ステンレス板（１０）を準備する。
【００２５】
（２）図１ｂに示すように、前記ステンレス板（１０）の表面に紫外線に反応する感光用塗料をスプレー方式で塗布して塗料層（１２）を形成する。
【００２６】
（３）図１ｃに示すように、塗料層（１２）が形成されたステンレス板（１０）の表面をフィルム（１４）で覆う。この際、前記フィルム（１４）を塗料層（１２）に置くときには光が採らない密閉されたところで作業することが望ましい。
【００２７】
前記フィルム（１４）は多様な模様のデザインになっているフィルムを使用し、例えば、図３に示すように蜂巣状（すなわち、六角形模様）に形成されたフィルムを使用する。特に、前記フィルム（１４）は図２に示すように黒色フィルムを使用することが好ましいが、黒色部分（１４ａ）と白色にされた透明部分（１４ｂ）に形成された黒色フィルムを使用する。この際、前記透明部分（１４ｂ）は従来のように実線で形成されるのではなく、ドット（dot）らが一定の間隔を維持しながら突出形成されるものである。このように、ドット（dot）模様で透明部分（１４ｂ）を形成することで、図３のような蜂巣状の調理容器の底面を具現することができる。
【００２８】
（４）図１ｃのように、フィルム（１４）が覆われた状態で通常の紫外線照射機（紫外線等）で前記フィルム（１４）を照光させる。この際、照光条件は３００ルクスの紫外線等で５秒間照光させることが好ましい。
【００２９】
このように、紫外線等でフィルム（１４）を照光させると、透明部分（１４ｂ）の下にある塗料層（１２）は紫外線によって硬化され、黒色部分（１４ａ）の下にある塗料層（１２）は光が透過されないから、硬化現象が起こらないようになる。この際、前記透明部分（１４ｂ）は図２のようにドット（dot）が一定の間隔を維持しながら形成されているので、ドット（dot）部分は硬化されるが、前記ドット（dot）とドット（dot）との間は黒色になっているので、その部分は紫外線が通らないから硬化されない。
【００３０】
（５）前記（４）の過程を行ったステンレス板（１０）を酸化第２鉄化学物に浸漬させると、フィルム（１４）の黒色部分（１４ａ）の下にある塗料層（１２）は紫外線を受けなくなって硬化されなかったので、剥奪されながらその部分は陰刻部（１０ａ）を形成されるようになり、これと同時にフィルム（１４）の透明部分（１４ｂ）の下にある塗料層（１２）は紫外線によって硬化されたから図１ｄのようにそのまま残されるようになる。
【００３１】
（６）前記（５）の過程を行ったステンレス板（１０）を水で洗浄すると、図１ｅのように塗料層（１２ａ）はきれいに洗われるようになり、前記ステンレス板（１０）には凹凸形態の陰刻部（１０ａ）と陽刻部（１０ｂ）が一定の間隔を維持しながら形成される。この際、前記陽刻部（１０ｂ）は前述した（４）の過程でフィルム（１４）の透明部分（１４ｂ）に紫外線が昭光される際、ドット（dot）部分は光が通って硬化され、ドットとドットの間には光が透過されないので、前記陽刻部（１０ｂ）の表面は図３のようにドット（dot）が一定した間隔を維持しながら突出形成される。
【００３２】
（７）前記（６）の過程を行ったステンレス板（１０）の表面に、具体的には陰刻部（１０a）と陽刻部（１０ｂ）の表面にノン−スティック（NON-STICK）効果を具現するために通常のテフロンやセラミックのような材料を塗布してコーティング層（１６ａ、１６ｂ）を形成した後、前記陽刻部（１０ｂ）に形成れたコーティング層（１６ａ）を除去すると、図１ｇのようにステンレス板（１０）の陰刻部（１０ａ）にだけコーティング層（１６ａ）が残された。この際、コーティング層（１６ａ）が形成された陰刻部（１０ａ）の深さは０．０６〜０．０８ｍｍが好ましい。
【００３３】
（８）最後に、前記ステンレス板（１０）を通常的な方法で、例えば、プレス加工作業で上段は開放され、底面と側壁を有する一般的な調理容器を成型する。
【産業上の利用可能性】
【００３４】
本発明による調理容器およびその製造方法は下記のような複数の上昇的な効果を達成することができる。
最初に、本発明は紫外線に反応する感光陽塗料をステンレス板に塗布した後、その上に黒白フィルムを密着した後、紫外線発射機を用いて昭光することにより、感光用塗料の硬化度を高めることができ、精密模様作業を具現することができる長所がある。
二番目に、本発明は調理容器の底面に凹凸形態で陰刻部と陽刻部を形成する際、作業者の連度に影響を受けず、かつ、均一で精密な凹凸形態を具現することができるだけでなく、腐食中に感光用塗料の離脱現象が少ないから、品質が安定化されて不良率を低めることができ、原価節減に著大な効果がある。
【符号の説明】
【００３５】
１０…ステンレス板、１０ａ…陰刻部、１０ｂ…陽刻部、１２，１２ａ…塗料層、１４…フィルム、１４ａ…黒色部分、１４ｂ…透明部分、１６ａ，１６ｂ…コーティング層。
【図１ａ】
2019069213.tif 000003
【図１ｂ】
2019069213.tif 000004
【図１ｃ】
2019069213.tif 000005
【図１ｄ】
2019069213.tif 000006
【図１ｅ】
2019069213.tif 000007
【図１ｆ】
2019069213.tif 000008
【図１ｇ】
2019069213.tif 000009
【図２】
2019069213.tif 000010
【図３】
2019069213.tif 000011
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
凹凸形態で複数の陰刻部と陽刻部が形成された通常の調理容器において、前記陰刻部は複数のドット模様が一定の間隔を維持しながら突出形成され、陽刻部の形状を現すことを特徴とする調理容器。